(57)【要約】【課題】カメラユニットを適切に構成して筐体内で位置決めし得る携帯端末装置を提供する。【解決手段】筐体と、  カメラユニット１４と、  カメラユニット１４の周囲を囲むように配置されてカメラユニット１４を保持し、カメラユニット１４が筐体に設けられた撮影窓部に対向して位置するように筐体内部に支持される保持部材１５と、を備え、  保持部材１５は、導通性を有して構成され、筐体内に設けられたグランド部に接続可能なグランド接続部と、カメラユニット１４を撮影窓部側へ付勢する付勢手段２６と、カメラユニット１４に係止してカメラユニット１４の撮影窓部側への相対移動を規制する規制手段２４とを備える。【選択図】図３
2007142768.tif 000002
【特許請求の範囲】
【請求項１】
筐体と、
カメラユニットと、
該カメラユニットの周囲を囲むように配置されて前記カメラユニットを保持し、前記カメラユニットが前記筐体に設けられた撮影窓部に対向して位置するように前記筐体内部に支持される保持部材と、を備え、
前記保持部材は、導通性を有して構成され、前記筐体内に設けられたグランド部に接続可能なグランド接続部と、前記カメラユニットを前記撮影窓部側へ付勢する付勢手段と、前記カメラユニットに係止して前記カメラユニットの前記撮影窓部側への相対移動を規制する規制手段とを備えたことを特徴とする携帯端末装置。
【請求項２】
前記付勢手段は、前記カメラの前記撮影窓部側とは反対側の端部と、前記保持部材との間に配置されて、前記カメラを前記撮影窓部側へ付勢する第１弾性部材で構成されることを特徴とする請求項１記載の携帯端末装置。
【請求項３】
前記筐体は、前記保持部材の前記撮影窓部側とは反対側の端部に嵌合する嵌合部を備え、当該嵌合部と前記保持部材との間に、前記保持部材を前記撮影窓部側へ付勢する第２弾性部材が配置されることを特徴とする請求項１または２記載の携帯端末装置。
【請求項４】
前記筐体と、前記カメラユニットの前記撮影窓部側の端部の間に、衝撃吸収部材が配置されることを特徴とする請求項１〜３のいずれか１項に記載の携帯端末装置。
【発明の詳細な説明】
【技術分野】
【０００１】
本発明は、携帯端末装置に関するものである。
【背景技術】
【０００２】
近年、携帯電話機、ＰＨＳ等の移動体通信機といった種々の携帯端末装置は、図８〜図１０に示す如く、カメラ１とカメラホルダ２を備えるカメラユニット３を筐体４内に配置し、所望時にカメラ撮影し得るようにしており、カメラホルダ２は、カメラ１が電磁波による影響を受けないように、若しくはカメラ１から放射された電磁波が漏れないように、シール構造として、金属板金を折り曲げて箱状にしたものや、樹脂を箱状に成形して表面をメッキや蒸着で導電化したものを使用している。
【０００３】
カメラ１をカメラホルダ２へ取り付ける際には、図８、図９に示す如く、箱状のカメラホルダ２内へ開口面からカメラ１を挿入し、開口面のエッジに設けた爪部５によってカメラ１を固定している。また、カメラ１とカメラホルダ２を携帯電話の筐体４へ固定する際には、図１０に示す如く、カメラホルダ２の外周に設けた爪６を筐体４の爪受け部７に嵌め込んで固定している。
【０００４】
なお、携帯端末装置において、このようなカメラホルダの固定構造を示す一例としては、次のものがある（例えば、特許文献１参照。）。
【特許文献１】特開２００４−２００９４４号公報
【発明の開示】
【発明が解決しようとする課題】
【０００５】
しかしながら、携帯端末装置のカメラ１は、厚み公差が大きいため、カメラ１をカメラホルダ２に組み込む際に、ガタツキや、ズレを生じ、適切にカメラユニット３を構成することができないという問題があった。また、カメラホルダ２の爪６及び筐体４の爪受け部７には、夫々、寸法公差があるため、カメラホルダ２を筐体４に組み込む際に、ガタツキや、ズレを生じ、カメラユニット３を適切に位置決めすることができないという問題があった。
【０００６】
本発明は、斯かる実情に鑑み、カメラユニットを適切に構成して筐体内で位置決めし得る携帯端末装置を提供しようとするものである。
【課題を解決するための手段】
【０００７】
本発明は、
筐体と、
カメラユニットと、
該カメラユニットの周囲を囲むように配置されて前記カメラユニットを保持し、前記カメラユニットが前記筐体に設けられた撮影窓部に対向して位置するように前記筐体内部に支持される保持部材と、を備え、
前記保持部材は、導通性を有して構成され、前記筐体内に設けられたグランド部に接続可能なグランド接続部と、前記カメラユニットを前記撮影窓部側へ付勢する付勢手段と、前記カメラユニットに係止して前記カメラユニットの前記撮影窓部側への相対移動を規制する規制手段とを備えたことを特徴とする携帯端末装置、にかかるものである。
【０００８】
本発明において、前記付勢手段は、前記カメラの前記撮影窓部側とは反対側の端部と、前記保持部材との間に配置されて、前記カメラを前記撮影窓部側へ付勢する第１弾性部材で構成されることが好ましい。
【０００９】
本発明において、前記筐体は、前記保持部材の前記撮影窓部側とは反対側の端部に嵌合する嵌合部を備え、当該嵌合部と前記保持部材との間に、前記保持部材を前記撮影窓部側へ付勢する第２弾性部材が配置されることが好ましい。
【００１０】
本発明は、前記筐体と、前記カメラユニットの前記撮影窓部側の端部の間に、衝撃吸収部材が配置されることが好ましい。
【発明の効果】
【００１１】
本発明の携帯端末装置によれば、カメラユニットを適切に構成して筐体内で位置決めすることができるという優れた効果を奏し得る。
【発明を実施するための最良の形態】
【００１２】
以下、本発明の実施の形態を図面を参照して説明する。
【００１３】
図１は本発明を実施する形態例であってカメラユニットと筺体の構成を示す概念図であり、図２は本発明を実施する形態例であってカメラユニットと筺体の配置状態を示す概略断面図であり、図３はカメラと保持部材の構成を示す概念図であり、図４はカメラに保持部材を組み付けた状態を示す概略断面図であり、図５は携帯端末装置の具体例であって第１筺体と第２筺体を開いた状態を示す概念図であり、図６は図５の携帯端末装置であってカメラユニットと筺体の構成を示す概念図であり、図７は図５の携帯端末装置に用いるカメラユニットを示す平面図である。
【００１４】
本発明の形態例の携帯端末装置は、図１、図２に示す如く、筐体１１を、リアケースの第１ケース部材１２と、フロントケースの第２ケース部材１３とにより形成しており、第１ケース部材１２と第２ケース部材１３の間には、カメラユニット１４及びカメラホルダ（保持部材）１５を配置している。
【００１５】
第１ケース部材１２は、所定位置に形成された開口１６にカメラ窓部材１７を配して撮影窓部１８を構成するとともに、カメラユニット１４の前面側の周囲を支持するように内部側の対向面に枠状の第１リブ１９を備えている。
【００１６】
第２ケース部材１３は、カメラホルダ１５の後面側の周囲を支持するように内部側の対向面に枠状の第２リブ（嵌合体）２０を備えている。
【００１７】
カメラユニット１４は、図１〜図４に示す如く、レンズ部２１を備えたカメラ２２と、当該カメラ２２を制御するためのカメラ制御用回路基板（図示せず）とを備えて構成されており、カメラ２２の側面を構成する少なくとも２面には凸部２３を備えている。
【００１８】
カメラホルダ（保持部材）１５は、カメラユニット１４を収納し得るよう、底面及び周囲面を備えて箱状に構成されており、カメラホルダ１５の周囲面を構成する面には、カメラ２２の凸部２３に対応して凸部２３より大きい規制手段の挿入孔２４を形成している。
【００１９】
また、カメラホルダ１５は、導通性を有して構成されるとともに、筐体１１内に設けられた回路基板（図示せず）上などグランド部（図示せず）に接続可能なグランド接続部２５を有している。更に、カメラホルダ１５の内側底面には、カメラ２２の撮影窓部１８側と反対側の端部に面するように、発泡ウレタン材のスポンジやゴムからなる平板の付勢手段の第１弾性部材２６を配置し、カメラホルダ１５の外側底面及び周囲面には、カメラホルダ１５を囲むように底面及び周囲面を構成して発泡ウレタン材のスポンジやゴムからなる付勢手段の第２弾性部材２７を配置している。更にまた、カメラユニット１４の撮影窓部１８側の周囲には、衝撃吸収部材２８を配置している。なお、第１弾性部材２６及び第２弾性部材２７は、放熱効果を有するカーボングラファイト等の伝熱材を使用して外部に熱を逃がすようにしても良い。
【００２０】
ここで携帯端末装置の具体的な一例を示すと、携帯端末装置は、図５〜図７に示す如く、画面表示部側の第１筐体１１ａと、操作キー側の第２筐体１１ｂとを折り畳みにより開閉可能に構成されており、画面表示部側の第１筐体１１ａは、折り畳んだ閉状態で外側に位置するリアケースの第１ケース部材１２ａと、折り畳んだ閉状態で内側に位置するフロントケースの第２ケース部材１３ａとにより形成されている。また、カメラホルダ１５には、可撓性を有する帯状の配線部（ＦＰＣ）１５ａを備え、配線部１５ａの先端側に、基板上のコネクタ端子１５ｂと接続し得るコネクタ１５ｃを配置している。なお、この配線部１５ａは、他端側がカメラユニット１４のカメラ制御用回路基板に接続されている。
【００２１】
以下、本発明を実施する形態例の作用を説明する。
【００２２】
カメラユニット１４とカメラホルダ（保持部材）１５を組み付ける際には、図３に示す如く、カメラホルダ１５の内側底面に付勢手段の第１弾性部材２６を配置し、カメラ２２の側部の凸部２３をカメラホルダ１５の規制手段の挿入孔２４に嵌め込むと同時に、カメラ２２を箱状のカメラホルダ１５に挿入して、カメラ２２の撮影窓部１８側とは反対側の端部と、カメラホルダ１５との間に第１弾性部材２６を配置するようにし、第１弾性部材２６の弾性力によりカメラ２２を前面側に押し上げて、カメラ２２の凸部２３とカメラホルダ１５の挿入孔２４との係合を維持し、カメラホルダ１５にカメラ２２をガタツキ無く固定する。
【００２３】
カメラホルダ１５を第２ケース部材１３に配置する際には、カメラホルダ１５に箱状の第２弾性部材２７を被せて、カメラホルダ１５の底面及び周囲面を第２弾性部材２７で覆い、カメラホルダ１５の撮影窓部１８側とは反対側の端部を、図１、図２、図６に示す如く、第２弾性部材２７を介し第２ケース部材１３の第２リブ２０（嵌合部）に嵌合し、第２リブ２０（嵌合部）とカメラホルダ１５との間の第２弾性部材２７により、保持部材を撮影窓部１８側へ付勢するように配置する。ここで、第２ケース部材１３の第２リブ２０の大きさは、カメラホルダ１５の大きさと、第２弾性部材２７の厚みとを考慮して最適な圧入力が得られる寸法に設定されている。また、第１弾性部材２６及び第２弾性部材２７は、設置時の厚みが、圧縮により設置前の厚さから約半分になっている。
【００２４】
次に、カメラホルダ１５を第２ケース部材１３に配置した後には、グランド接続部２５をグランド部に接続するとともに、配線部１５ａのコネクタ１５ｃをコネクタ端子１５ｂに接続して全体の電気系統を接続する。
【００２５】
続いて、カメラホルダ１５を第１ケース部材１２と第２ケース部材１３の間に配置する際には、カメラユニット１４の撮影窓部１８側の周囲に衝撃吸収部材２８を備え、カメラホルダ１５の撮影窓部１８側と第１ケース部材１２の第１リブ１９が合致するように、第１ケース部材１２を被せて組み付け、第１リブ１９によりカメラ２２の左右方向の位置を決定する。また、衝撃吸収部材２８を、第１ケース部材１２と、カメラユニット１４の撮影窓部１８側の端部との間に配置して衝撃を吸収可能するとともに、衝撃吸収部材２８と第２弾性部材２７によりカメラ２２の厚さ方向の位置を決定する。
【００２６】
このように、本発明を実施する形態例の携帯端末装置によれば、規制手段の凸部２３と挿入孔２４を係合して付勢手段の第１弾性部材２６で付勢し、カメラユニット１４を、筐体１１内にカメラホルダ（保持部材）１５を介して固定するので、カメラユニット１４とカメラホルダ１５との間のガタツキを抑制して構成することができるともに、カメラ２２の厚み方向のバラつきを吸収してカメラユニット１４及びカメラホルダ１５を筐体１１内に位置決めすることができる。また、カメラ２２と撮影窓部１８とのズレを低減することができるとともに、カメラホルダ１５のグランド接続部２５をグランド部（図示せず）へ適切に接続することができ、更に、カメラホルダ１５によるシールド効果を好適に得ることができる。
【００２７】
本発明の形態例において、付勢手段は、カメラ２２の前記撮影窓部１８側とは反対側の端部と、カメラホルダ（保持部材）１５との間に配置されて、カメラ２２を撮影窓部１８側へ付勢する第１弾性部材２６で構成されると、スポンジやゴム等の第１弾性部材２６により規制手段の凸部２３と挿入孔２４の係合を維持するので、カメラユニット１４を、筐体１１内にカメラホルダ（保持部材）１５を介して適切に固定し、カメラユニット１４とカメラホルダ１５との間のガタツキを一層抑制して構成することができるともに、カメラユニット１４及びカメラホルダ１５を筐体１１内に容易に位置決めすることができる。また、カメラユニット１４とカメラホルダ１５との間に第１弾性部材２６を配置するので、カメラユニット１４とカメラホルダ１５との間の厚さ方向の衝撃を吸収することができる。
【００２８】
本発明の形態例において、筐体１１は、カメラホルダ（保持部材）１５の撮影窓部１８側とは反対側の端部に嵌合する第２リブ２０（嵌合部）を備え、第２リブ２０とカメラホルダ１５との間に、カメラホルダ１５を撮影窓部１８側へ付勢する第２弾性部材２７が配置されると、スポンジやゴム等の第２弾性部材２７によりカメラホルダ１５を撮影窓部１８側へ付勢するので、カメラ２２及びカメラホルダ１５を筐体１１内に好適に支持し、カメラユニット１４を一層適切に構成して筐体１１内で位置決めすることができる。
【００２９】
本発明の形態例において、筐体１１と、カメラユニット１４の撮影窓部１８側の端部の間に、衝撃吸収部材２８が配置されると、衝撃吸収部材２８によってカメラユニット１４への衝撃を緩和することができる。
【００３０】
また第１ケースの第１リブ１９によりカメラホルダ１５の位置決めをするので、撮影窓部１８とカメラ２２とのズレを防止することができる。また、第１弾性部材２６、第２弾性部材２７、衝撃吸収材を伝熱材で覆った場合には、カメラ２２から発生する熱を外部に伝達し、カメラ２２の高温化による誤作動を防止することができる。
【００３１】
尚、本発明の携帯端末装置は、上述の図示例にのみ限定されるものではなく、衝撃吸収部材を無い状態で構成しても良いこと、その他、本発明の要旨を逸脱しない範囲内において種々変更を加え得ることは勿論である。
【図面の簡単な説明】
【００３２】
【図１】本発明を実施する形態例であってカメラユニットと筐体の構成を示す概念図である。
【図２】本発明を実施する形態例であってカメラユニットと筐体の配置状態を示す概略断面図である。
【図３】カメラユニットと保持部材の構成を示す概念図である。
【図４】カメラユニットに保持部材を組み付けた状態を示す概略断面図である。
【図５】携帯端末装置の具体例であって第１筐体と第２筐体を開いた状態を示す概念図である。
【図６】図５の携帯端末装置であってカメラユニットと筐体の構成を示す概念図である。
【図７】図５の携帯端末装置に用いるカメラユニットを示す平面図である。
【図８】従来の携帯端末装置に用いるカメラユニットと保持部材の構成を示す概念図である。
【図９】従来の携帯端末装置に用いるカメラユニットと保持部材の配置状態を示す概略断面図である。
【図１０】カメラユニットと筐体の配置状態を示す概略断面図である。
【符号の説明】
【００３３】
１１    筐体
１４    カメラユニット
１５    カメラホルダ（保持部材）
１８    撮影窓部
２０    第２リブ（嵌合部）
２２    カメラ
２３    凸部（規制手段）
２４    挿入孔（規制手段）
２５    グランド接続部
２６    第１弾性部材（付勢手段）
２７    第２弾性部材
２８    衝撃吸収部材
【図１】
2007142768.tif 000003
【図２】
2007142768.tif 000004
【図３】
2007142768.tif 000005
【図４】
2007142768.tif 000006
【図５】
2007142768.tif 000007
【図６】
2007142768.tif 000008
【図７】
2007142768.tif 000009
【図８】
2007142768.tif 000010
【図９】
2007142768.tif 000011
【図１０】
2007142768.tif 000012